(57)【要約】【課題】被検体が所定の期間に被曝した被曝量を管理すること。【解決手段】実施形態の管理装置は、記憶部と、算出部と、出力制御部とを備える。記憶部は、Ｘ線診断装置による撮影日と、当該Ｘ線診断装置が照射したＸ線によって被検体が被曝した部位と、当該部位における被曝量とが対応付けられた被曝量情報を被検体ごとに関連付けて記憶する。算出部は、処理対象となる被検体と、当該被検体における部位と、処理対象となる期間とが操作者から指定された場合、指定された被検体及び部位が対応付けれ、かつ、指定された期間内の撮影日が対応付けられた被曝量情報を前記記憶部から取得し、取得した被曝量情報に含まれる被曝量の積算値を算出する。出力制御部は、前記算出部により算出された積算量と、前記部位とを関連付けて出力部に出力させる。【選択図】図１
2014140415.tif 000002
【特許請求の範囲】
【請求項１】
Ｘ線診断装置による撮影日と、当該Ｘ線診断装置が照射したＸ線によって被検体が被曝した部位と、当該部位における被曝量とが対応付けられた被曝量情報を被検体ごとに関連付けて記憶する記憶部と、
処理対象となる被検体と、当該被検体における部位と、処理対象となる期間とが操作者から指定された場合、指定された被検体及び部位が対応付けれ、かつ、指定された期間内の撮影日が対応付けられた被曝量情報を前記記憶部から取得し、取得した被曝量情報に含まれる被曝量の積算値を算出する算出部と、
前記算出部により算出された積算量と、前記部位とを関連付けて出力部に出力させる出力制御部と
を備えたことを特徴とする管理装置。
【請求項２】
前記記憶部は、前記被曝量情報に対応付けられる被検体の部位として、当該被検体の体型を模した人体モデル上において、当該被検体がＸ線によって被曝した部位に対応する部位を記憶し、
前記出力制御部は、前記算出部が算出した積算量を、前記算出部が取得した被曝量情報に対応付けられている人体モデル上の部位に関連付けて出力させる
ことを特徴とする請求項１に記載の管理装置。
【請求項３】
前記出力制御部は、前記算出部が取得した被曝量情報に対応付けられている人体モデル上の部位に重畳した画像データを表示させる
ことを特徴とする請求項２に記載の管理装置。
【請求項４】
前記記憶部は、更に、Ｘ線被曝の影響度として、撮影日からの経過期間に応じた影響度を記憶し、
前記算出部は、積算対象となる被曝量に対応付けられている撮影日と、前記操作者が指定した期間の最終日との間の時間に応じた影響度を前記記憶部から取得し、取得した影響度により当該被曝量を補正した補正量を積算対象とする
ことを特徴とする請求項１〜３のいずれか一つに記載の管理装置。
【請求項５】
前記記憶部は、被曝した部位ごとの撮影日からの経過期間に応じた影響度を記憶し、
前記算出部は、積算対象となる被曝量に対応付けられている撮影日及び部位に応じた影響度を前記記憶部から取得し、取得した影響度により当該被曝量を補正した補正量を積算対象とする
ことを特徴とする請求項４に記載の管理装置。
【請求項６】
前記出力制御部は、前記影響度による補正を行なった積算量と、前記影響度による補正を行なっていない積算量との少なくとも一方を出力部に出力させる
ことを特徴とする請求項４又は５に記載の管理装置。
【請求項７】
撮影日と、照射したＸ線によって被検体が被曝した部位と、当該部位における被曝量とが対応付けられた被曝量情報を被検体ごとに関連付けて記憶する記憶部と、
処理対象となる被検体と、当該被検体における部位と、処理対象となる期間とが操作者から指定された場合、指定された被検体及び部位が対応付けれ、かつ、指定された期間内の撮影日が対応付けられた被曝量情報を前記記憶部から取得し、取得した被曝量情報に含まれる被曝量の積算値を算出する算出部と、
前記算出部により算出された積算量と、前記部位とを関連付けて出力部に出力させる出力制御部と
を備えたことを特徴とするＸ線診断装置。
【請求項８】
Ｘ線診断装置による撮影日と、当該Ｘ線診断装置が照射したＸ線によって被検体が被曝した部位と、当該部位における被曝量とが対応付けられた被曝量情報を被検体ごとに関連付けて記憶部に記憶するコンピュータに、
処理対象となる被検体と、当該被検体における部位と、処理対象となる期間とが操作者から指定された場合、指定された被検体及び部位が対応付けれ、かつ、指定された期間内の撮影日が対応付けられた被曝量情報を前記記憶部から取得し、取得した被曝量情報に含まれる被曝量の積算値を算出する算出手順と、
前記算出手順により算出された積算量と、前記部位とを関連付けて出力部に出力させる出力制御手順と
を実行させることを特徴とする被曝量管理プログラム。
【発明の詳細な説明】
【技術分野】
【０００１】
本発明の実施形態は、管理装置、Ｘ線診断装置及び被曝量管理プログラムに関する。
【背景技術】
【０００２】
Ｘ線診断装置によるＸ線画像撮影時に、被検体の表面が被曝するＸ線量を皮膚被曝線量として検査ごとに管理するＤＴＳ（Dose  Tracking  System）がある。例えば、ＤＴＳは、Ｘ線診断装置による照射条件から被検体の被曝量を算出する。また、ＤＴＳは、擬似的な人体モデルを被検体の身体情報に基づいて生成し、人体モデルに被曝量を関連付けてモニタに表示する。
【先行技術文献】
【特許文献】
【０００３】
【特許文献１】特開２０１０−１３１３７１号公報
【発明の概要】
【発明が解決しようとする課題】
【０００４】
本発明が解決しようとする課題は、被検体が所定の期間に被曝した被曝量を管理することができる管理装置、Ｘ線診断装置及び被曝量管理プログラムを提供することである。
【課題を解決するための手段】
【０００５】
実施形態の管理装置は、記憶部と、算出部と、出力制御部とを備える。記憶部は、Ｘ線診断装置による撮影日と、当該Ｘ線診断装置が照射したＸ線によって被検体が被曝した部位と、当該部位における被曝量とが対応付けられた被曝量情報を被検体ごとに関連付けて記憶する。算出部は、処理対象となる被検体と、当該被検体における部位と、処理対象となる期間とが操作者から指定された場合、指定された被検体及び部位が対応付けれ、かつ、指定された期間内の撮影日が対応付けられた被曝量情報を前記記憶部から取得し、取得した被曝量情報に含まれる被曝量の積算値を算出する。出力制御部は、前記算出部により算出された積算量と、前記部位とを関連付けて出力部に出力させる。
【図面の簡単な説明】
【０００６】
【図１】図１は、第１の実施形態に係るＸ線診断装置の構成例を示す図である。
【図２】図２は、Ｘ線診断装置により撮影された被検体Ｐの被曝量の管理用に表示される画面の一例を示す図である。
【図３】図３は、被曝量情報のデータ構造の一例を示す図である。
【図４】図４は、被曝データＩＤと対応付けられる情報の一例を示す図である。
【図５】図５は、第１の実施形態に係る積算値算出部によって取得された積算対象データの一例を示す図である。
【図６】図６は、第１の実施形態に係る積算値算出部によって算出された積算値の一例を示す図である。
【図７】図７は、第１の実施形態に係るＸ線診断装置による処理手順を示すフローチャートである。
【図８Ａ】図８Ａは、第２の実施形態に係る記憶部が記憶する影響度情報の一例を示す図である。
【図８Ｂ】図８Ｂは、第２の実施形態に係る記憶部が記憶する影響度情報の一例を示す図である。
【図９】図９は、第２の実施形態に係る積算値算出部によって算出された積算値の一例を示す図である。
【図１０】図１０は、第２の実施形態に係るＸ線診断装置による処理手順を示すフローチャートである。
【発明を実施するための形態】
【０００７】
以下、図面を参照して、実施形態に係る管理装置、Ｘ線診断装置及び被曝量管理プログラムを説明する。
【０００８】
（第１の実施形態）
図１は、第１の実施形態に係るＸ線診断装置１００の構成例を示す図である。図１に示すように、Ｘ線診断装置１００は、架台部１０と、計算機システム２０とを備える。図１に示すように、架台部１０は、寝台１１と、架台１２と、Ｃアーム１３と、Ｘ線管１４と、Ｘ線検出器１５と、出力部１６とを備える。なお、Ｘ線診断装置１００は、被検体Ｐを含まない。
【０００９】
寝台１１は、垂直方向及び水平方向に移動可能であり、被検体Ｐが載置される。架台１２は、Ｃアーム１３を支持する。Ｃアーム１３は、Ｘ線管１４及びＸ線検出器１５を対向して支持する。
【００１０】
Ｘ線管１４は、Ｘ線を照射する。Ｘ線検出器１５は、Ｘ線管１４から照射され、被検体Ｐを透過したＸ線を検出する。Ｘ線管１４及びＸ線検出器１５の対は、幾何学的な回転中心の周りに回転するように構成されている。この回転中心は、アイソセンターである。
【００１１】
なお、架台部１０における座標系（ガントリ座標系とも言う）を以下のように設定する。すなわち、架台部１０において軸の向きは、寝台１１の長軸と平行な方向がＺ軸、寝台１１の短軸と平行な方向がＸ軸、寝台１１の上面に対して鉛直方向がＹ軸に設定される。
【００１２】
Ｃアーム１３は、Ｚ軸を中心にＬＡＯ（Left  Anterior  Oblique  View：第２斜位）方向あるいはＲＡＯ（Right  Anterior  Oblique  View：第１斜位）方向に回転可能である。また、ＬＡＯ方向あるいはＲＡＯ方向への回転角度はφで示される。また、Ｃアーム１３は、Ｙ軸を中心にＣＲＡ（Cranial  view:尾頭方向）方向あるいはＣＡＵ（Caudal  view：頭尾方向）方向に回転可能である。また、ＣＲＡ方向あるいはＣＡＵ方向への回転角度はθで示される。
【００１３】
出力部１６は、例えば、モニタであり、例えば透視画像などのＸ線画像を表示する。
【００１４】
図１に戻り、計算機システム２０は、操作部２１と、Ｘ線画像データ記憶部２２と、制御部２３と、Ｘ線画像データ収集部２４と、Ｃアーム制御部２５と、表示制御部２６、線量管理部２７とを備える。
【００１５】
操作部２１は、コントロールパネル、フットスイッチ、ジョイスティック、キーボード、マウス等であり、Ｘ線診断装置１００に対する各種操作の入力を操作者から受付ける。具体的には、第１の実施形態に係る操作部２１は、Ｘ線画像データの収集指示や、被検体Ｐが被曝した線量の管理に伴う各種指示等を受付ける。
【００１６】
例えば、操作部２１は、被検体Ｐ内の観察対象を画面中央に移動させるための寝台１１に対する操作を操作者から受付ける。これにより、制御部２３は、寝台１１を操作者の操作に応じて移動させる。また、操作部２１は、Ｃアーム１３を回転させる操作を操作者から受付ける。これにより、Ｃアーム制御部２５は、Ｃアーム１３を操作者の操作に応じて回転させる。また、操作部２１は、撮影条件の設定を操作者から受付ける。例えば、操作部２１は、心臓冠状動脈を観察対象に設定する操作を操作者から受付ける。そして、操作部２１は、制御部２３を介して設定された観察対象の情報を線量管理部２７に送る。また、例えば、操作部２１は、ＳＩＤ（Source-Isocenter  Distance）、ＦＯＶ（field  of  view）等の情報を操作者から受付ける。なお、ＳＩＤやＦＯＶ等の値は、Ｘ線診断装置１００が事前に保持してもよい。
【００１７】
また、操作部２１は、被検体Ｐが被曝した線量の管理を行う操作者から、各種指示を受付ける。例えば、操作部２１は、被検体Ｐが被爆した線量の表示指示を操作者から受付ける。具体的には、操作部２１は、被検体Ｐが被爆した１分間当たりの線量の表示指示を操作者から受付ける。また、操作部２１は、撮影時において、被検体Ｐが被爆した線量の総量の表示指示を操作者から受付ける。
【００１８】
Ｘ線画像データ記憶部２２は、Ｘ線画像データなどを記憶する。制御部２３は、Ｘ線診断装置１００の全体制御を行う。
【００１９】
Ｘ線画像データ収集部２４は、操作者から操作部２１を介してＸ線画像データの収集指示を受け付けると、Ｘ線管１４、Ｘ線検出器１５、及びＣアーム制御部２５を制御し、Ｘ線画像データを収集する。ここで、Ｘ線画像データ収集部２４は、被検体Ｐに照射したＸ線がＸ線検出器１５において投影される画像を収集する。Ｘ線画像データ収集部２４は、収集したＸ線画像データを、表示制御部２６に送る。
【００２０】
Ｃアーム制御部２５は、Ｘ線画像データ収集部２４による制御の下、Ｃアーム１３の回転などを制御する。表示制御部２６は、Ｘ線画像データ収集部２４によって撮影されたＸ線画像を出力部１６に表示する。
【００２１】
線量管理部２７は、Ｘ線診断装置１００において被検体Ｐが被曝した線量を皮膚被曝線量（被曝量）で管理する。線量管理部２７は、例えば、人体モデル生成部２７ａと、線量算出部２７ｂと、出力制御部２７ｃと、記憶部２７ｄと、積算値算出部２８ｅとを有する。
【００２２】
人体モデル生成部２７ａは、操作部２１から入力された被検体Ｐの個人情報（性別、年齢、身長、体重、大まかな体系分類等）やＸ線画像データ記憶部２２に格納されたＸ線画像に付帯する付帯情報に基づいて、被検体Ｐ又は診断対象部位の人体モデルを生成する。なお、人体モデル生成部２７ａは、楕円や球等によって被検体Ｐ等を近似的に表す人体モデルを生成してもよいし、人体等を忠実に表現する人体モデルを生成してもよい。また、人体モデル生成部２７ａは、被検体Ｐの身体情報に基づいて、複数の人間身体断層プロファイルから当該被検体Ｐに最も近いプロファイルを自動的に選択し、当該選択されたプロファイルを使って全身の人体モデルを作成する。
【００２３】
線量算出部２７ｂは、人体モデル生成部２７ａによって生成された人体モデルと、Ｘ線診断装置１００から得られる撮影条件とに基づいて被曝量を算出する。例えば、線量算出部２７ｂは、Ｘ線画像データ収集部２４から入力する撮影条件と、Ｃアーム制御部２５から得られるＣアーム１３の位置、寝台１１の位置、Ｘ線検出器１４の位置から得られる各種情報（ＳＩＤ、Ｘ線管１５とＸ線検出器１４とを結ぶ軸と被検体Ｐの体軸又は任意の基準軸とのなす角度等）と、生成された人体モデルから得られる各位置の被検体Ｐの厚みとに基づいて、人体モデルの画素ごとの被曝量を求める。そして、線量算出部２７ｂは、被検体Ｐについて人体モデル上の部位と被曝量とを関連付けた被曝量の分布を生成する。また、線量算出部２７ｂは、生成した被曝量の分布を記憶部２７ｄに記憶させる。
【００２４】
出力制御部２７ｃは、被検体Ｐについての被曝量の分布を出力部１６に出力させる。また、出力制御部２７ｃは、後述する積算値算出部２７ｅにより生成された被曝量の積算量の分布を出力部１６に出力させる。なお、被曝量の積算量の分布は、積算値算出部２７ｅにより算出された積算量と、部位とが関連付けられる。
【００２５】
図２を用いてＸ線診断装置１００により撮影された被検体Ｐの被曝量の管理用に表示される画面を説明する。図２は、Ｘ線診断装置１００により撮影された被検体Ｐの被曝量の管理用に表示される画面の一例を示す図である。例えば、図２に示す画面領域２ａには、Ｘ線診断装置１００によるＸ線画像データ撮影時における撮影条件が表示される。また、例えば、図２に示す画面領域２ｂには、Ｘ線診断装置１００による撮影時における被検体Ｐの１分間当たりの被曝量の値が表示される。また、例えば、図２に示す画面領域２ｃには、Ｘ線診断装置１００による撮影時における被検体Ｐの被曝量の総量（時間積分値）の値が表示される。
【００２６】
また、線量管理部２７は、被曝量と、人体モデル上の部位とを対応付けた情報を生成し、出力部１６に表示させる。具体的には、線量管理部２７は、図２に示す画面領域２ｄに、人体モデル上の画素ごとに、被曝量に応じた色調を割当てた画像データを表示させる。
【００２７】
このように、Ｘ線診断装置１００において線量管理部２７は、１検査ごとの被曝量を管理する。このため、従来のＸ線診断装置は、長期に渡り被検体Ｐの被曝量を管理することができなかった。そこで、第１の実施形態に係るＸ線診断装置１００では、過去の被曝量を記憶し、長期に渡り被検体Ｐの被曝量を管理する。具体的には、記憶部２７ｄが過去の被曝量を記憶し、積算値算出部２７ｅが、検査ごとに被曝した被検体Ｐの被曝量の積算値を算出する。
【００２８】
次に、第１の実施形態に係る線量管理部２７が有する記憶部２７ｄ及び積算値算出部２７ｅについて詳述する。記憶部２７ｄは、Ｘ線診断装置１００による撮影日と、当該Ｘ線診断装置が照射したＸ線によって被検体Ｐが被曝した部位と、当該部位における被曝量とが対応付けられた被曝量情報を被検体Ｐごとに関連付けて記憶する。例えば、記憶部２７ｄは、被曝量情報に対応付けられる被検体の部位として、当該被検体の体型を模した人体モデル上において、当該被検体がＸ線によって被曝した部位に対応する部位を記憶する。
【００２９】
図３を用いて、被曝量情報のデータ構造の一例について説明する。図３は、被曝量情報のデータ構造の一例を示す図である。図３に示すように、被曝量情報は、「被検体ＩＤ」と、「検査ＩＤ」と、「部位」と、「検査日」と、「被曝データＩＤ」とを対応付けた情報を記憶する。
【００３０】
ここで、被曝量情報が記憶する「被検体ＩＤ」は、被検体Ｐを一意に識別する識別子である。例えば、「被検体ＩＤ」には、「ａａａ」や「ｂｂｂ」等のデータ値が格納される。
【００３１】
また、被曝量情報が記憶する「検査ＩＤ」は、検査を一意に識別する識別子である。例えば、「検査ＩＤ」には、「００１」や「００２」等のデータ値が格納される。
【００３２】
また、被曝量情報が記憶する「部位」は、検査対象である被検体Ｐの人体モデル上の部位を示す。例えば、「部位」には、「胸部」、「頭部」、「下肢」及び「腹部」等のデータ値が格納される。
【００３３】
また、被曝量情報が記憶する「検査日」は、Ｘ線診断装置１００により被検体Ｐに対して撮影が行われた日を示す。例えば、「検査日」には、「２０１２／０４／１２」や「２０１２／０５／０７」等のデータ値が格納される。なお、「検査日」は、年月日に限定されるものではなく、日時であってもよい、例えば、「検査日」には、秒単位まで指定されたデータ値を記憶することも可能である。
【００３４】
また、被曝量情報が記憶する「被曝データＩＤ」は、部位における被曝量の情報の識別子を示す。例えば、「被曝データＩＤ」には、「ｘ０００ａ」や「ｘ００１ａ」等のデータ値が格納される。
【００３５】
一例をあげると、図３に示す被曝量情報は、「検査ＩＤ」が「００１」である検査において、「被検体ＩＤ」が「ａａａ」である被検体の胸部を２０１２年４月１２日に撮影した被曝データＩＤが「ｘ０００ａ」であることを示す。
【００３６】
続いて、図４を用いて、被曝データＩＤと対応付けられる情報について説明する。図４は、被曝データＩＤと対応付けられる情報の一例を示す図である。図４に示すように、被曝データＩＤと対応付けられる情報は、人体モデルを所定の単位で分割した複数の画素ごとに記録される。一例をあげると、図４に示す２次元領域は、座標（Ｘｉ，Ｚｉ）に位置づけられた画素の線量が２００であり、座標（Ｘｉ＋１，Ｚｉ＋２）に位置づけられた画素の線量が３００であることを示す。
【００３７】
積算値算出部２７ｅは、処理対象となる被検体Ｐと、当該被検体Ｐにおける部位と、処理対象となる期間とが操作者から指定された場合、指定された被検体Ｐ及び部位が対応付けれ、かつ、指定された期間内の撮影日が対応付けられた被曝量情報を記憶部２７ｄから取得し、取得した被曝量情報に含まれる被曝量の積算値を算出する。
【００３８】
図５及び図６を用いて、第１の実施形態に係る積算値算出部２７ｅによる処理動作について説明する。図５は、第１の実施形態に係る積算値算出部２７ｅによって取得された積算対象データの一例を示す図である。なお、図５は、被検体ＩＤが「ａａａ」であり、部位が「胸部」であり、期間として「２０１２年１２月２２日〜２０１２年１月１日」を受付けた場合を説明する。図５に示すように、積算値算出部２７ｅは、被曝量情報から積算対象のデータとして被曝データＩＤ「ｘ０００ａ」に対応付けられた情報と被曝データＩＤ「ｘ０００ｃ」に対応付けられた情報とを取得する。
【００３９】
図６は、第１の実施形態に係る積算値算出部２７ｅによって算出された積算値の一例を示す図である。なお、図６は、被曝データＩＤ「ｘ０００ａ」に対応付けられた情報（以下情報Ａと称す）と被曝データＩＤ「ｘ０００ｃ」に対応付けられた情報（以下情報Ｂと称す）との積算値を算出する処理を説明する。積算値算出部２７ｅは、情報Ａと情報Ｂとで同一の座標に位置づけられる画素の線量を積算する。図６に示す例では、積算値算出部２７ｅは、座標（Ｘｉ，Ｚｉ）に位置づけられる画素の積算量を５００（＝３００＋２００）に算出する。
【００４０】
そして、積算値算出部２７ｅは、算出した被曝量の積算量と、人体モデル上の部位とを関連付けた被曝量の積算量の分布を生成する。また、積算値算出部２７ｅは、生成した被曝量の積算量の分布を出力制御部２７ｃに出力する。これにより出力制御部２７ｃは、積算値算出部２７ｅが算出した積算量を、積算値算出部２７ｅが取得した被曝量情報に対応付けられている人体モデル上の部位に関連付けて出力部１６に出力させる。例えば、出力制御部２７ｃは、積算値算出部２７ｅが取得した被曝量情報に対応付けられている人体モデル上の部位に重畳した画像データを出力部１６に表示させる。また、出力制御部２７ｃは、上記の画像データを再構成可能な情報として外部の装置に出力することが可能である。これにより、外部の装置は、人体モデル上の部位に被曝量情報を重畳した画像データを表示することができる。
【００４１】
次に、図７を用いて第１の実施形態に係るＸ線診断装置１００による処理手順を説明する。図７は、第１の実施形態に係るＸ線診断装置１００による処理手順を示すフローチャートである。
【００４２】
図７に示すように、第１の実施形態に係る積算値算出部２７ｅは、被検体ＩＤと対象部位の指定を操作者から受付ける（ステップＳ１０１）。例えば、第１の実施形態に係る積算値算出部２７ｅは、被検体ＩＤとして「ａａａ」、対象部位として「胸部」の指定を操作者から受付ける。
【００４３】
また、第１の実施形態に係る積算値算出部２７ｅは、期間の指定を操作者から受付ける（ステップＳ１０２）。例えば、第１の実施形態に係る積算値算出部２７ｅは、期間として「２０１２年１２月２２日〜２０１２年１月１日」を受付ける。
【００４４】
そして、第１の実施形態に係る積算値算出部２７ｅは、指定された被検体ＩＤの指定された対象部位のデータから指定された期間のデータを取得する（ステップＳ１０３）。例えば、第１の実施形態に係る積算値算出部２７ｅは、記憶部２７ｄが記憶する被曝量情報から積算対象となるデータを取得する。
【００４５】
続いて、第１の実施形態に係る積算値算出部２７ｅは、被曝領域ごとに被曝量を積算する（ステップＳ１０４）。そして、出力制御部２７ｃは、被曝領域と被曝量とを関連付けて表示する（ステップＳ１０５）。例えば、出力制御部２７ｃは、人体モデル上の画素ごとに、被曝量に応じた色調を割当てた画像データを表示させる。
【００４６】
上述したように、第１の実施形態によれば、被検体Ｐが所定の期間に被曝した被曝量を管理することができる。
【００４７】
なお、Ｘ線診断装置１００において線量管理部２７が出力部を有してもよい。そして、出力制御部２７ｃは、出力部１６以外の外部装置や線量管理部２７が有する出力部に、人体モデル上の画素ごとに、被曝量に応じた色調を割当てた画像データを表示させてもよい。
【００４８】
なお、第１の実施形態に係る積算値算出部２７ｅは、指定された期間の変更を受付けた場合、期間を変更して被検体Ｐの被曝量の積算量を算出するようにしてもよい。また、積算値算出部２７ｅは、被検体Ｐが被曝した部位と、当該部位における被曝量とが対応付けられた被曝量情報が記憶部２７ｄに記憶されている場合には、積算処理を行うときに、管理対象となる被検体Ｐの人体モデルを生成し、生成した人体モデルと積算量とを対応付けた被曝量の積算量の分布を生成してもよい。
【００４９】
また、線量管理部２７は、複数の部位を指定されてもよい。例えば、線量管理部２７は、操作者から被検体Ｐの頭部及び胸部における被曝量の積算量を算出してもよい。あるいは、線量管理部２７は、被検体Ｐの全ての部位における被曝量の積算量を算出してもよい。
【００５０】
（第２の実施形態）
第１の実施形態では、Ｘ線診断装置１００は、撮影日が操作者から指定された期間内であり、かつ指定された部位の被曝量を単純に積算する場合について説明した。ところで、Ｘ線被曝の影響は、撮影日からの経過期間によって影響度合いが異なる。また、Ｘ線被曝の影響は、被曝する部位により、影響度合いが異なる。このため、被曝の影響から回復するまでの時間は、被曝した部位と撮影日からの経過期間によって異なる。このようなことから、第２の実施形態では、被曝部位ごとに撮影日からの経過期間に応じたＸ線の被曝の影響度を加味して被曝量を積算する例を説明する。
【００５１】
第２の実施形態に係るＸ線診断装置１００の構成は、出力制御部２７ｃと記憶部２７ｄと積算値算出部２７ｅとが後述する以下の機能を有する点を除いて、第１の実施形態に係るＸ線診断装置１００の構成と同様である。
【００５２】
第２の実施形態に係る記憶部２７ｄは、撮影日からの経過期間に応じたＸ線被曝の影響度情報を更に記憶する。ここで、第２の実施形態に係る記憶部２７ｄは、部位ごとの撮影日からの経過期間に応じた影響度を関連付けて記憶する。
【００５３】
図８Ａ及び図８Ｂを用いて、第２の実施形態に係る記憶部２７ｄが記憶する影響度情報を説明する。図８Ａ及び図８Ｂは、第２の実施形態に係る記憶部２７ｄが記憶する影響度情報の一例を示す図である。なお、図８Ａは、例えば、部位が下肢である場合の影響度情報を示し、図８Ｂは、例えば、部位が胸部である場合の影響度情報を示す。
【００５４】
図８Ａに示すように、影響度情報は、「経過期間」と「影響度係数」とを関連付けて記憶する。ここで、「経過期間」は、撮影日から経過した日数を示す。例えば、「経過期間」には、「〜１００日」、「１０１日〜２００日」等のデータ値が格納される。
【００５５】
また、「影響度係数」は、撮影日からの経過期間に応じたＸ線の被曝の影響度を示す。例えば、「影響度係数」には、「１」、「０．５」等のデータ値が格納される。
【００５６】
一例をあげると、図８Ａに示す影響度情報は、撮影日から１００日が経過していない場合の影響度係数が「１」であることを示す。また、図８Ａに示す影響度情報は、撮影日から１０１日以上が経過したが２００日経過していない場合の影響度係数が「０．５」であることを示す。
【００５７】
同様に、図８Ｂに示す影響度情報は、撮影日から１００日が経過していない場合の影響度係数が「１」であることを示す。また、図８Ｂに示す影響度情報は、撮影日から３０１日以上が経過したが４００日経過していない場合の影響度係数が「０．４」であることを示す。このように、影響度係数は、部位によって異なる値が設定される。すなわち、Ｘ線被曝の影響は被曝する部位により、その影響度合いが異なる。なお、上記の例では、影響度情報は、経過時間所定の日数で区切った期間ごとの代表値で表現されるが、本実施形態では、影響度は経過時間に応じた連続的な関数で表現されてもよい。
【００５８】
第２の実施形態に係る積算値算出部２７ｅは、積算対象となる被曝量に対応付けられている撮影日と、操作者が指定した期間の最終日との間の時間に応じた影響度係数を記憶部２７ｄから取得し、取得した影響度係数により当該被曝量を補正した補正量を積算対象とする。具体的には、第２の実施形態に係る積算値算出部２７ｅは、積算対象となる被曝量に対応付けられている撮影日及び部位に応じた影響度係数を記憶部２７ｄから取得し、取得した影響度係数により当該被曝量を補正した補正量を積算対象とする。
【００５９】
図９を用いて、第２の実施形態に係る積算値算出部２７ｅによる処理動作について説明する。図９は、第２の実施形態に係る積算値算出部２７ｅによって算出された積算値の一例を示す図である。なお、図９は、被曝データＩＤ「ｘ０００ａ」に対応付けられた情報（以下情報Ａと称す）と被曝データＩＤ「ｘ０００ｃ」に対応付けられた情報（以下情報Ｂと称す）との積算値を算出する処理を説明する。
【００６０】
第２の実施形態に係る積算値算出部２７ｅは、積算対象となる被曝量に対応付けられている撮影日と指定された部位とを参照して、記憶部２７ｄが記憶する影響度情報から影響度係数を取得する。ここで、基準日を２０１２年１２月２２日に設定すると、情報Ａは、撮影日からの経過期間が「２０１日〜３００日」となる。また、情報Ｂは、撮影日からの経過期間が「〜１００日」となる。そして、第２の実施形態に係る積算値算出部２７ｅは、指定された部位が胸部である場合、情報Ａの影響度係数として「０．６」を取得し、情報Ｂの影響度係数として「１」を取得する。
【００６１】
そして、第２の実施形態に係る積算値算出部２７ｅは、情報Ａに影響度係数「０．６」を乗算するとともに、情報Ｂに影響度係数「１」を乗算する。続いて、第２の実施形態に係る積算値算出部２７ｅは、乗算後の情報Ａと情報Ｂとで同一の座標に位置づけられる画素の線量を積算する。図９に示す例では、積算値算出部２７ｅは、座標（Ｘｉ，Ｚｉ）に位置づけられる画素の線量を３８０（＝（３００×０．６）＋（２００×１））に算出する。
【００６２】
第２の実施形態に係る出力制御部２７ｃは、影響度を用いて算出された積算量と、部位とを関連付けて出力部１６に出力させる。例えば、第２の実施形態に係る出力制御部２７ｃは、人体モデル上の部位に影響度を用いて算出された積算量を重畳した画像データを出力部１６に表示させる。
【００６３】
また、第２の実施形態に係る出力制御部２７ｃは、影響度を用いて積算した積算量と、影響度を用いずに積算した積算量との少なくとも一方を出力部１６に出力させてもよい。また、第２の実施形態に係る出力制御部２７ｃは、影響度を用いて積算した積算量と、影響度を用いずに積算した積算量との少なくとも一方を出力部１６に出力させるものとして説明したが、影響度を用いて積算した積算量と、影響度を用いずに積算した積算量との両方を出力部１６に同時に出力させてもよい。また、第２の実施形態に係る出力制御部２７ｃは、操作者からの指示を受付けて、影響度を用いて積算した積算量と、影響度を用いずに積算した積算量とを切替えて出力部１６に出力させてもよい。
【００６４】
次に、図１０を用いて第２の実施形態に係るＸ線診断装置１００による処理手順を説明する。図１０は、第２の実施形態に係るＸ線診断装置１００による処理手順を示すフローチャートである。
【００６５】
図１０に示すように、第２の実施形態に係る積算値算出部２７ｅは、被検体ＩＤと対象部位の指定を操作者から受付ける（ステップＳ２０１）。例えば、第２の実施形態に係る積算値算出部２７ｅは、被検体ＩＤとして「ａａａ」、対象部位として「胸部」の指定を操作者から受付ける。
【００６６】
また、第２の実施形態に係る積算値算出部２７ｅは、期間の指定を操作者から受付ける（ステップＳ２０２）。例えば、第２の実施形態に係る積算値算出部２７ｅは、期間として「２０１２年１２月２２日〜２０１２年１月１日」を受付ける。
【００６７】
そして、第２の実施形態に係る積算値算出部２７ｅは、指定された被検体ＩＤの指定された対象部位のデータから指定された期間のデータを取得する（ステップＳ２０３）。例えば、第２の実施形態に係る積算値算出部２７ｅは、記憶部２７ｄが記憶する被曝量情報から積算対象となるデータを取得する。
【００６８】
続いて、第２の実施形態に係る積算値算出部２７ｅは、対象部位の影響度係数を取得する（ステップＳ２０４）。例えば、第２の実施形態に係る積算値算出部２７ｅは、積算対象となる被曝量に対応付けられている撮影日と指定された部位とを参照して、記憶部２７ｄが記憶する影響度情報から影響度係数を取得する。
【００６９】
そして、第２の実施形態に係る積算値算出部２７ｅは、積算対象となるデータに影響度係数を乗算する（ステップＳ２０５）。続いて、第２の実施形態に係る積算値算出部２７ｅは、影響度係数を乗算した積算対象となるデータの被曝領域ごとに被曝量を積算する（ステップＳ２０６）。
【００７０】
そして、第２の実施形態に係る出力制御部２７ｃは、被曝領域と被曝量とを関連付けて表示する（ステップＳ２０７）。
【００７１】
上述したように、第２の実施形態によれば、第２の実施形態では、撮影日からの経過期間に応じたＸ線の被曝の影響度を加味して被曝量を積算する。これにより、例えば、撮影日からの経過期間を考慮した被曝量の管理を行うことができる。さらに、影響度の異なる部位に対して、適切な被曝量の管理を行うことができる。
【００７２】
また、第２の実施形態に係る出力制御部２７ｃは、指定された期間の変更を受付けた場合、期間を変更して積算した積算量を表示してもよい。さらに、第２の実施形態に係る出力制御部２７ｃは、期間を変更して積算した積算量を人体モデルに重畳した画像データを全てサムネイル表示してもよい。
【００７３】
また、影響度係数は、すべての部位で共通の値が用いられてもよい。この場合、第２の実施形態に係る積算値算出部２７ｅは、撮影日からの経過期間に応じたＸ線の被曝の影響度を示す影響度係数を用いて、被検体Ｐの被曝の積算量を算出する。
【００７４】
また、Ｘ線診断装置１００が、被曝量を積算する例を説明したが、実施形態はこれに限定されるものではない。例えば、Ｘ線診断装置１００から線量管理部２７を独立させて線量管理装置とし、線量管理装置が、被曝量の積算量を積算してもよい。この場合、線量管理装置は、Ｘ線診断装置１００による撮影日と、Ｘ線診断装置が照射したＸ線によって被検体Ｐが被曝した部位とをＸ線診断装置１００から取得する。また、線量管理装置は、ＬＡＮ（Local  Area  Network）等のネットワークを介して接続する他のＸ線診断装置からも同様に撮影日と被検体Ｐが被曝した部位とを取得することも可能である。これによって、線量管理装置は、１台のＸ線診断装置１００だけの管理ではなく、同じ被検体Ｐが異なるＸ線診断装置によって検査された場合であっても、被曝量の積算量を管理することができる。
【００７５】
さらに、各装置にて行われる各処理機能は、その全部または任意の一部が、ＣＰＵおよび当該ＣＰＵにて解析実行されるプログラムにて実現され、あるいは、ワイヤードロジックによるハードウェアとして実現され得る。
【００７６】
以上述べた少なくとも一つの実施形態の管理装置、Ｘ線診断装置及び被曝量管理プログラムによれば、被検体が所定の期間に被曝した被曝量を管理することができる。
【００７７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７８】
２７  線量管理部
２７ｃ  出力制御部
２７ｄ  記憶部
２７ｅ  積算値算出部
１００  Ｘ線診断装置
【図１】
2014140415.tif 000003
【図２】
2014140415.tif 000004
【図３】
2014140415.tif 000005
【図４】
2014140415.tif 000006
【図５】
2014140415.tif 000007
【図６】
2014140415.tif 000008
【図７】
2014140415.tif 000009
【図８Ａ】
2014140415.tif 000010
【図８Ｂ】
2014140415.tif 000011
【図９】
2014140415.tif 000012
【図１０】
2014140415.tif 000013